(57)【要約】【課題】カードリーダの人感センサの感度調整を自動にした入退室管理システムを提供する。【解決手段】人感センサ部８〜１０により通行者１が近づいたことを感知し、これに連動しカード読取部６を有効にして該通行者のカード２を読み取り、読み取った情報の照合結果に基づき扉１２の制御を行なう入退室管理システムにおいて、前記人感センサ部の感知に対するカード読取部での読み取り状況から通行者の誤感知を検出する手段と、この誤感知を記録する感度調整用記憶手段と、この感度調整用記憶手段の記録に基づき、人感センサ部での感度を調整する手段と、を備えた。【選択図】　　　　図１
2004052272.tif 000002
【特許請求の範囲】
【請求項１】
人感センサ部により通行者が近づいたことを感知し、これに連動しカード読取部を有効にして該通行者のカードを読み取り、読み取った情報の照合結果に基づき扉の制御を行なう入退室管理システムにおいて、
前記人感センサ部の感知に対するカード読取部での読み取り状況から通行者の誤感知を検出する手段と、
この誤感知を記録する感度調整用記憶手段と、
この感度調整用記憶手段の記録に基づき、人感センサ部での感度を調整する手段と、
を備えたことを特徴とする入退室管理システム。
【請求項２】
カード読取部で通行者のカードを読み取り、読み取った情報の照合結果に基づき扉の制御を行なう入退室管理システムにおいて、
通行者が近づいたことを感知する人感センサ部と、
前記通行者の感知に連動して点灯される液晶表示部と、
前記人感センサ部の感知に対するカード読取部での読み取り状況から通行者の誤感知および未感知を検出する手段と、
これらの誤感知および未感知を記録する感度調整用記憶手段と、
この感度調整用記憶手段の記録に基づき、人感センサ部での感度を調整する手段と、
を備えたことを特徴とする入退室管理システム。
【請求項３】
通行者が近づいたことを感知する人感センサ部と、
通行者が触れて利用するタッチパネルスイッチと、
通行者の前記人感センサ部での感知およびタッチパネルスイッチへの接触の少なくとも一方に連動して有効にされ該通行者のカードを読み取るカード読取部と、
通行者の前記人感センサ部での感知およびタッチパネルスイッチへの接触の少なくとも一方に連動して点灯される液晶表示部と、
読み取った情報の照合結果に基づき扉の制御を行なう扉制御手段と、
前記通行者の人感センサ部での感知およびタッチパネルスイッチへの接触に対するカード読取部での読み取り状況から誤感知および未感知をそれぞれ検出する手段と、
これらの誤感知および未感知を記録する感度調整用記憶手段と、
この感度調整用記憶手段の記録に基づき、人感センサ部での感度を調整する手段と、
を備えたことを特徴とする入退室管理システム。
【発明の詳細な説明】
【０００１】
【発明の属する技術分野】
この発明は、カードにより個人識別をおこない扉の制御を行う入退室管理システムに関するものである。
【０００２】
【従来の技術】
図６は従来のこの種の入退室管理システムの構成図である。図６において、１は通行者、２は通行者が保持するカード、３はカードリーダ、４はカードリーダ３内の中央処理装置、５はカード２内のカード個人識別番号、６はカード２内のカード個人識別番号５を読み取るカード読取部、７はカード個人識別番号５が通行可能かを判定する通行可否データベース、８は通行者１を感知し、近づくにつれ出力が増大する人感センサ、９はボリューム等で設定される感度設定、１０は人感センサ８と感度設定９を比較する比較器、１１はカードリーダ３内の扉制御部、１２は扉制御部１１が制御する扉である。
【０００３】
図７は図６のシステムの動作フローチャートである。通行者１がカードリーダ３に近づくと、人感センサ８の出力は徐々に上がり、感度設定９を上回ると、比較器１０は中央処理装置４にそのことを示す信号を出力する（ステップＳ１）。中央処理装置４はカード読取部６を有効にし（ステップＳ２）、カード２内のカード個人識別番号３を読み取れるようにする。所定時間以内（例えば５秒）にカード読取部６がカード２内のカード個人識別番号５を読み取ると（ステップＳ３）、中央処理装置４はカード個人識別番号５と通行可否データベース７とを照合し（ステップＳ４）、その後、カード読取部６を無効とする（ステップＳ５）。そして、上記照合結果が通行可の場合には、中央処理装置４は扉制御部１１を経由して扉１２を一時解錠させた後（ステップＳ４）、初期状態に戻る。また、逆に上記照合結果が通行否の場合には、中央処理装置４は一時解錠しないで初期状態に戻る（ステップＳ４）。
【０００４】
また、所定時間以内にカード読取部６がカード２内のカード個人識別番号５を読み取れないと、中央処理装置４はカード読取部６をそのまま無効にして、初期状態に戻る（ステップＳ３）。
【０００５】
感度設定９は、カードリーダ設置時に周囲の状況に応じて、設定する。通常、人の往来が多い場所に設置される場合には、感度設定９を高めに設定し、通行者１がカードリーダ３の近辺に近づかないと、比較器１０が出力しないようにする。また、逆に、人の往来が少ない場所に設置される場合には、感度設定９を低めに設定し、通行者１がカードリーダ３の遠くでも、比較器１０が出力しないようにする。
【０００６】
【発明が解決しようとする課題】
上記のような従来の入退室管理システムでは、カードリーダの設置状況に合わせて感度設定する必要があり、設置状況が変化すると、再設定する必要があるという問題点があった。また、液晶表示部を有するカードリーダは、常時、液晶表示部バックライトを点灯させると、消費電力が多く必要であるとともに、液晶表示部バックライドの寿命が短くなるという問題点があった。
【０００７】
この発明は上記のような課題を解消するためになされたもので、カードリーダの人感センサの感度設定を容易にするとともに、消費電力が少なく、寿命が長いカードリーダを備えた入退室管理システムを提供することを目的とする。
【０００８】
【課題を解決するための手段】
上記の目的に鑑み、この発明は、人感センサ部により通行者が近づいたことを感知し、これに連動しカード読取部を有効にして該通行者のカードを読み取り、読み取った情報の照合結果に基づき扉の制御を行なう入退室管理システムにおいて、前記人感センサ部の感知に対するカード読取部での読み取り状況から通行者の誤感知を検出する手段と、この誤感知を記録する感度調整用記憶手段と、この感度調整用記憶手段の記録に基づき、人感センサ部での感度を調整する手段と、を備えたことを特徴とする入退室管理システムにある。
【０００９】
また、カード読取部で通行者のカードを読み取り、読み取った情報の照合結果に基づき扉の制御を行なう入退室管理システムにおいて、通行者が近づいたことを感知する人感センサ部と、前記通行者の感知に連動して点灯される液晶表示部と、前記人感センサ部の感知に対するカード読取部での読み取り状況から通行者の誤感知および未感知を検出する手段と、これらの誤感知および未感知を記録する感度調整用記憶手段と、この感度調整用記憶手段の記録に基づき、人感センサ部での感度を調整する手段と、を備えたことを特徴とする入退室管理システムにある。
【００１０】
また、通行者が近づいたことを感知する人感センサ部と、通行者が触れて利用するタッチパネルスイッチと、通行者の前記人感センサ部での感知およびタッチパネルスイッチへの接触の少なくとも一方に連動して有効にされ該通行者のカードを読み取るカード読取部と、通行者の前記人感センサ部での感知およびタッチパネルスイッチへの接触の少なくとも一方に連動して点灯される液晶表示部と、読み取った情報の照合結果に基づき扉の制御を行なう扉制御手段と、前記通行者の人感センサ部での感知およびタッチパネルスイッチへの接触に対するカード読取部での読み取り状況から誤感知および未感知をそれぞれ検出する手段と、これらの誤感知および未感知を記録する感度調整用記憶手段と、この感度調整用記憶手段の記録に基づき、人感センサ部での感度を調整する手段と、を備えたことを特徴とする入退室管理システムにある。
【００１１】
【発明の実施の形態】
実施の形態１．
図１はこの発明の一実施の形態による入退室管理システムの構成図であり、従来のものと同一もしくは相当部分は同一符号で示す（以下の実施の形態も同じ）。
【００１２】
図１において、１は通行者、２は通行者が保持するカード、３はカードリーダ、４はカードリーダ３内の中央処理装置、５はカード２内のカード個人識別番号、６はカード２内のカード個人識別番号５を読み取るカード読取部、７はカード個人識別番号５が通行可能かを判定する通行可否データベース、８は通行者１を感知し、近づくにつれ出力が増大する人感センサ、９は中央処理装置４に設定される感度設定、１０は人感センサ８と感度設定１０を比較する比較器（８、９、１０で人感センサ部とする）、１３は比較器１０の結果を中央処理装置４を通じて蓄積する感度調整用データベース、１１はカードリーダ３内の扉制御部、１２は扉制御部１１が制御する扉である。
【００１３】
図２は図１のシステムの動作フローチャートである。通行者１がカードリーダ３に近づくと、人感センサ８の出力は徐々に上がり、感度設定９を上回ると、比較器１０は中央処理装置４にそのことを示す信号を出力する（ステップＳ１）。中央処理装置４はカード読取部６を有効にし、カード２内のカード個人識別番号５を読み取れるようにする（ステップＳ２）。比較器１０の出力があってから所定時間以内（例えば５秒）にカード読取部６がカード２内のカード個人識別番号５を読み取ると（ステップＳ３）、中央処理装置４は感度調整用データベース１３に正常動作として記録し（ステップＳ６）、中央処理装置４はカード個人識別番号５と通行可否データベース７とを照合し（ステップＳ４）、その後、カード読取部６を無効とする（ステップＳ５）。ここで、照合結果が通行可の場合には、中央処理装置４は扉制御部１１を経由して扉１２を一時解錠させ、また逆に照合結果が通行否の場合には、解錠を行わない（ステップＳ４）。
【００１４】
また、比較器１０の出力があってから所定時間以内にカード読取部６がカード２内のカード個人識別番号５を読み取れないと、中央処理装置４は感度調整用データベース１３に誤感知（扉制御不要な通行者等を感知）として記録し（ステップＳ７）、中央処理装置４はカード読取部６を無効にして（ステップＳ５）、初期状態に戻る。
【００１５】
感度設定９は、感度調整用データベース１３をもとに決定される。所定期間（例えば１週間）の間の「正常動作」の回数と、「誤感知」の回数との比率が所定値（例えば「誤感知」の比率が全体の８０％）より高いと、中央処理装置４は感度設定９を高めに設定し、通行者１がカードリーダ３のより近辺に近づかないと、比較器１０が出力しないようにする。また、逆に、比率が所定値（例えば「誤感知」の比率が全体の８０％）より低いと、中央処理装置４は感度設定９を低めに設定し、通行者１がカードリーダ３の遠くでも、比較器１０が出力するようにする（ステップＳ８、Ｓ９）。なお、感度調整の基準は、カードリーダ特にセンサの設置環境等により所望の値とすればよい。
【００１６】
実施の形態２．
図３はこの発明の別の実施の形態による入退室管理システムの構成図であり、上述の実施の形態と同一もしくは相当部分は同一符号で示す。図３は実施の形態２，３のシステムを共通に示したもので、この実施の形態２では、カードリーダ３の操作ガイダンスや状態などを表示する液晶表示部１４およびこの液晶表示部１４を表示させる液晶表示部バックライト１５をさらに設けた。そして後述のようにこの液晶表示部バックライト１５が通行者の感知に連動して点灯される。またこの実施の形態ではカード読取部６は常に有効状態にある。
【００１７】
図４はこの実施の形態における動作フローチャートである。通行者１がカードリーダ３に近づくと、人感センサ８の出力は徐々に上がり、感度設定９を上回ると、比較器１０は中央処理装置４に信号を出力する（ステップＳ１）。中央処理装置４は液晶表示部バックライト１５を点灯する（ステップＳ１２）。比較器１０の出力があってから所定時間以内（例えば５秒）にカード読取部６がカード２内のカード個人識別番号５を読み取ると（ステップＳ３）、中央処理装置４は感度調整用データベース１３に正常動作として記録し（ステップＳ６）、中央処理装置４はカード個人識別番号５と通行可否データベース７とを照合し（ステップＳ４）、その後、液晶表示部バックライト１５を消灯とする（ステップＳ１３）。ここで、照合結果が通行可の場合には、中央処理装置４は扉制御部１１を経由して扉１２を一時解錠させ、また逆に照合結果が通行否の場合には、解錠を行わない（ステップＳ４）。
【００１８】
また、比較器１０の出力があってから所定時間以内にカード読取部６がカード２内のカード個人識別番号５を読み取れないと、中央処理装置４は感度調整用データベース１３に誤感知（扉制御不要な通行者等を感知）として記録し（ステップＳ７）、中央処理装置４は液晶表示部バックライト１５を消灯として（ステップＳ１３）、初期状態に戻る。
【００１９】
一方、比較器１０が中央処理装置４に出力なしに未検知の状態でカード読取部６がカード２内のカード個人識別番号５を読み取ると（ステップＳ１０）、中央処理装置４は液晶表示部バックライト１５を点灯させ（ステップＳ１２ａ）、さらに感度調整用データベース１３に未感知（通行者感知なしに読取部で個人識別番号の読み取り発生）として記録（ステップＳ１１）した後、ステップＳ４の照合、解錠を行う。
【００２０】
感度設定９は、感度調整用データベース１３をもとに決定される。所定期間（例えば１週間）の間の「正常動作」の回数と、「誤感知」の回数との比率が所定値（例えば「誤感知」の比率が全体の８０％）より高いと、中央処理装置４は感度設定９を高めに設定し、通行者１がカードリーダ３のより近辺に近づかないと、比較器１０が出力しないようにする。また、逆に、比率が所定値（例えば「誤感知」の比率が全体の８０％）より低いと、中央処理装置４は感度設定９を低めに設定し、通行者１がカードリーダ３の遠くでも、比較器１０が出力するようにする。ただし、所定期間（例えば１週間）の間の「正常動作」の回数と「未感知」の回数の比率が所定値（例えば「未感知」の比率が全体の８０％）より低いと、上述の感度設定に係わらず、中央処理装置４は感度設定９を低めに設定し、通行者１がカードリーダ３の遠くでも、比較器１０が出力するようにする（ステップＳ８、Ｓ９ａ）。なお、感度調整の基準は、カードリーダ特にセンサの設置環境等により所望の値とすればよい。
【００２１】
実施の形態３．
図５はこの発明のさらに別の実施の形態による入退室管理システムの動作フローチャートである。システム構成としては、図３においてさらに液晶表示部１４に付属され、通行者１が操作するタッチパネルスイッチ１６を含む。またこの実施の形態ではカード読取部６および液晶表示部バックライト１５は、通行者の感知による比較器１０の出力（人感センサ部８〜１０での感知）およびタッチパネルスイッチ１６への接触の少なくとも一方に連動して有効あるいは点灯状態にされる。
【００２２】
図５の動作フローチャートに従って説明すると、通行者１がカードリーダ３に近づくと、人感センサ８の出力は徐々に上がり、感度設定９を上回ると、比較器１０は中央処理装置４にそのことを示す信号を出力する（ステップＳ１）。中央処理装置４は液晶表示部バックライトを点灯する（ステップＳ１２）。また、中央処理装置４はカード読取部６を有効にする（ステップＳ２）。比較器１０の出力があってから所定時間以内（例えば５秒）にカード読取部６がカード２内のカード個人識別番号５を読み取ると（ステップＳ３）、中央処理装置４は感度調整用データベース１３に正常動作として記録し（ステップＳ６）、中央処理装置４はカード個人識別番号５と通行可否データベース７とを照合し（ステップＳ４）、その後、液晶表示部バックライト１５を消灯とし（ステップＳ１３）、カード読取部６を無効にする（ステップＳ５）。ここで、照合結果が通行可の場合には、中央処理装置４は扉制御部１１を経由して扉１２を一時解錠させ、また逆に照合結果が通行否の場合には、解錠は行わない（ステップＳ４）。
【００２３】
また、比較器１０の出力があってから所定時間以内にカード読取部６がカード２内のカード個人識別番号５を読み取れないと、中央処理装置４は感度調整用データベース１３に誤感知として記録し（ステップＳ７）、中央処理装置４は液晶表示部バックライト１５を消灯にし（ステップＳ１３）、カード読取部６を無効にして（ステップＳ５）、初期状態に戻る。
【００２４】
一方、比較器１０が中央処理装置４に出力なしに未検出の状態で通行者１がタッチパネルスイッチ１６に触れる（接触）と（ステップＳ１４）、中央処理装置４は液晶表示部バックライト１５を点灯し（ステップＳ１５）、カード読取部６を有効にする（ステップＳ１６）。そしてカード読取部６がカード２内のカード個人識別番号５を読み取ると（ステップＳ１０）、中央処理装置４は感度調整用データベース１３に未感知として記録（ステップＳ１１）した後、ステップＳ４の照合、解錠を行う。なお、通行者がタッチパネルスイッチ１６に触れた時点で未感知と断定するようにした場合には、ステップＳ１０は不要である。
【００２５】
また、ステップＳ８，Ｓ９ａの感度調整の処理については図４に示した実施の形態２の場合と同様である。
【００２６】
【発明の効果】
以上のようにこの発明によれば、人感センサ部により通行者が近づいたことを感知し、これに連動しカード読取部を有効にして該通行者のカードを読み取り、読み取った情報の照合結果に基づき扉の制御を行なう入退室管理システムにおいて、前記人感センサ部の感知に対するカード読取部での読み取り状況から通行者の誤感知を検出する手段と、この誤感知を記録する感度調整用記憶手段と、この感度調整用記憶手段の記録に基づき、人感センサ部での感度を調整する手段と、を備えたことを特徴とする入退室管理システムとしたので、感度調整が自動で行える。
【００２７】
また、カード読取部で通行者のカードを読み取り、読み取った情報の照合結果に基づき扉の制御を行なう入退室管理システムにおいて、通行者が近づいたことを感知する人感センサ部と、前記通行者の感知に連動して点灯される液晶表示部と、前記人感センサ部の感知に対するカード読取部での読み取り状況から通行者の誤感知および未感知を検出する手段と、これらの誤感知および未感知を記録する感度調整用記憶手段と、この感度調整用記憶手段の記録に基づき、人感センサ部での感度を調整する手段と、を備えたことを特徴とする入退室管理システムとしたので、人感センサ部で通行者を感知した時点で液晶表示部バックライトを点灯するようにしたので消費電力が軽減できる。またこの人感センサ部の感度調整も自動で行える。さらに誤感知および未感知の両方の情報に基づき人感センサ部の感度調整が行える。
【００２８】
また、通行者が近づいたことを感知する人感センサ部と、通行者が触れて利用するタッチパネルスイッチと、通行者の前記人感センサ部での感知およびタッチパネルスイッチへの接触の少なくとも一方に連動して有効にされ該通行者のカードを読み取るカード読取部と、通行者の前記人感センサ部での感知およびタッチパネルスイッチへの接触の少なくとも一方に連動して点灯される液晶表示部と、読み取った情報の照合結果に基づき扉の制御を行なう扉制御手段と、前記通行者の人感センサ部での感知およびタッチパネルスイッチへの接触に対するカード読取部での読み取り状況から誤感知および未感知をそれぞれ検出する手段と、これらの誤感知および未感知を記録する感度調整用記憶手段と、この感度調整用記憶手段の記録に基づき、人感センサ部での感度を調整する手段と、を備えたことを特徴とする入退室管理システムとしたので、人感センサ部の感度設定が自動で行える。また人感センサ部で通行者を感知した時点で液晶表示部バックライトを点灯するようにしたので消費電力が軽減できる。さらに誤感知および未感知の両方の情報に基づき人感センサ部の感度調整が行える。
【図面の簡単な説明】
【図１】この発明の一実施の形態による入退室管理システムの構成図である。
【図２】この発明の実施の形態１によるシステムの動作フローチャートである。
【図３】この発明の別の実施の形態による入退室管理システムの構成図である。
【図４】この発明の実施の形態２によるシステムの動作フローチャートである。
【図５】この発明の実施の形態３によるシステムの動作フローチャートである。
【図６】従来のこの種の入退室管理システムの構成図である。
【図７】図６のシステムの動作フローチャートである。
【符号の説明】
１　通行者、２　カード、３　カードリーダ、４　中央処理装置、５　カード個人識別番号、６　カード読取部、７　通行可否データベース、８　人感センサ、９　感度設定、１０　比較器、１１　扉制御部、１２　扉、１３　タッチパネルスイッチ、１４　液晶表示部、１５　液晶表示部バックライト。
【図１】
2004052272.tif 000003
【図２】
2004052272.tif 000004
【図３】
2004052272.tif 000005
【図４】
2004052272.tif 000006
【図５】
2004052272.tif 000007
【図６】
2004052272.tif 000008
【図７】
2004052272.tif 000009